(57)【要約】【課題】窓ガラスや壁面に吸着されている状態で、ユーザー自身の操作力が吸着部の吸着状態を不安定にさせることのない携帯機器を提供すること。【解決手段】吸着部と、該吸着部の吸着状態を検出する吸着状態検出手段と、各種操作アイコンが表示される表示手段と、制御手段と、を有し、前記制御手段は、前記表示手段に表示されている操作アイコンの内、該操作アイコンの操作方向が重力方向或いは前記吸着部を被吸着体から離間する方向となる操作アイコンに対し、その操作方向を重力方向以外或いは前記吸着部が被吸着体に押し付けられる方向に変更し、それ以外の方向の操作アイコンの操作方向は変更しないことを特徴とする。【選択図】図１
2019009578.tif 000002
【特許請求の範囲】
【請求項１】
吸着部と、
重力方向を検出する重力方向検知手段と、
各種操作アイコンが表示される表示手段と、
制御手段と、を有し、
前記制御手段は、前記表示手段に表示されている操作アイコンの内、該操作アイコンの操作方向が重力方向或いは前記吸着部を被吸着体から離間する方向となる操作アイコンに対し、その操作方向を重力方向以外或いは前記吸着部が被吸着体に押し付けられる方向に変更し、それ以外の方向の操作アイコンの操作方向は変更しないことを特徴とする携帯機器。
【請求項２】
前記吸着部の吸着状態を検出する吸着状態検出手段をさらに有し、前記制御手段が前記表示手段の操作アイコンの操作方向を重力方向以外或いは前記吸着部が被吸着体に押し付けられる方向に変更するのは、前記吸着部が被吸着体に押し付けられている時に行うことを特徴とする請求項１に記載の携帯機器。
【請求項３】
前記制御手段は、前記表示手段の操作アイコンの操作方向を重力方向のスライド操作から重力方向と直交する方向のスライド操作へと変更することを特徴とする請求項１に記載の携帯機器。
【請求項４】
前記制御手段は、前記表示手段の操作アイコンをスライドスイッチ画像から押しボタンスイッチ画像へと変更することを特徴とする請求項１に記載の携帯機器。
【発明の詳細な説明】
【技術分野】
【０００１】
本発明は、デジタルカメラに代表される携帯機器に関し、特に携帯機器本体を壁面等に固定するための吸着部を有する携帯機器に関する。
【背景技術】
【０００２】
従来から、ビデオカメラ、デジタルカメラのような撮像装置には、その撮影時において、集合写真を撮影する時には撮影者自身も写真に写りたいという要求や、夜景を手軽に撮影したいという要求がある一方、三脚などを常に携行することは望まれていない。
【０００３】
そこで、吸着手段を設けた撮像手段が提案されている。このような撮像装置では、撮影する時は、吸着手段により様々な壁面へ貼付ける事が可能となって三脚等を携行する必要が無くなり、その可動部が移動することにより、ガラス面での透過撮影においても、被写体の光束がケラレる事なく撮影が可能となる。
【０００４】
しかしながら、窓ガラスや壁面に吸着（固定）されている状態では、手で保持して操作する場合と異なり、撮影条件の設定等を行うために撮像装置の操作をすると、操作の方式や方向、また、その操作力によっては、ユーザー自身の操作力が吸着部の吸着状態を不安定にさせる可能性が有り、カメラが窓ガラスや壁から剥離してしまう可能性が有る。
【０００５】
そこで、撮像装置が窓ガラスや壁面に吸着されている状態で、ユーザー自身の操作力が吸着部の吸着状態を不安定にさせないためには、吸着されている状態での撮像装置の姿勢によって、各種操作部材の機能を変更して、ユーザー自身の操作力で吸着部の吸着状態が不安定にならないようにすることが考えられる。
【０００６】
撮像装置等の携帯機器の姿勢に応じて、操作部材の機能を変更することが特許文献１に開示されている。特許文献１において、携帯端末本体の姿勢に応じて、操作キー毎に割り当てられる機能を変更することが開示されている。
【先行技術文献】
【特許文献】
【０００７】
【特許文献１】特開２００５−１２２４９９号公報
【発明の概要】
【発明が解決しようとする課題】
【０００８】
しかしながら、特許文献１においては、携帯端末本体の姿勢に応じて、操作キー毎に割り当てられる機能が変更されるだけで、操作キーの操作方向は変更されない。よって、携帯端末機器がガラスや壁面に吸着されている状態の時７に操作キーを操作する際、ユーザー自身の操作力が吸着部の吸着状態を不安定になる可能性は残っている。
【０００９】
そこで、本発明の目的は、窓ガラスや壁面に吸着されている状態で、ユーザー自身の操作力が吸着部の吸着状態を不安定にさせることのない携帯機器を提供することにある。
【課題を解決するための手段】
【００１０】
上記の目的を達成するために、本発明に係る携帯機器は、
吸着部と、
該吸着部の吸着状態を検出する吸着状態検出手段と、
各種操作アイコンが表示される表示手段と、
制御手段と、を有し、
前記制御手段は、前記表示手段に表示されている操作アイコンの内、該操作アイコンの操作方向が重力方向或いは前記吸着部を被吸着体から離間する方向となる操作アイコンに対し、その操作方向を重力方向以外或いは前記吸着部が被吸着体に押し付けられる方向に変更し、それ以外の方向の操作アイコンの操作方向は変更しないことを特徴とする。
【発明の効果】
【００１１】
本発明によれば、窓ガラスや壁面に吸着されている状態で、ユーザー自身の操作力が吸着部の吸着状態を不安定にさせることのない携帯機器を提供することが出来る。
【図面の簡単な説明】
【００１２】
【図１】本発明の実施例の撮像装置の外観図
【図２】本発明の実施例の撮像装置の蓋を開いた状況を示す図
【図３】本発明の実施例の撮像装置のブロック図
【図４】本発明の実施例の撮像装置を壁面に設置している状況を示す図
【図５】本発明の実施例の撮像装置の表示部に表示されるアイコンの説明図
【図６】本発明の実施例における撮影時の動作フロー図
【図７】本発明の実施例における表示部に表示されるアイコンが変更された時の説明図
【図８】本発明の実施例における表示部に表示されるアイコンの操作方向が変更された時の説明図
【図９】本発明の実施例の撮像装置を窓ガラスに設置している状況を示す図
【発明を実施するための形態】
【００１３】
以下、本発明を実施するための形態について、図面を参照しながら説明する。
【実施例１】
【００１４】
図１から図７を参照して、本発明の好ましい実施の形態を、撮像装置を例にして、添付の図面に基づいて詳細に説明する。
【００１５】
図１は、本発明の撮像装置を六方向から見た外観図であり、図１（ａ）〜（ｆ）は、それぞれ本発明の撮像装置の正面図、右側面図、裏面図、左側面図、上面図、底面図である。尚、この図の状態を基準形態とし、略直方体形状を形成してフルフラットな装置となっている。図２は、本発明の撮像装置のカバー部４を開いた図であり、図３は撮像装置のブロック図、図４は、後述するように、本発明の撮像装置を壁に設置して撮影する場合の使用状況及び設置状況を示す図である。
【００１６】
図１の撮像装置の外観図において、１は、第一の筺体であるカメラ本体部であり、被写体光による被写体の画像を表示する表示部１１を背面側に備え、またその内部には、主に映像や撮像装置の機能を処理するためのシステム構成としての処理回路部分とバッテリーや映像記録媒体などを備えている。なお、カメラ本体部１は、本発明の本体部に相当する。
【００１７】
２は、主に撮影レンズ部２ａ、撮像素子、フラッシュ撮影のための発光部２ｂが内蔵されたレンズ鏡筒部である。
【００１８】
３は、レンズ鏡筒部２をパンニング方向に回転可能に支持し、主にレンズ鏡筒部２の機能を処理するための処理回路などが内蔵されたレンズ本体部である。レンズ鏡筒部２とレンズ本体部３は合せて第二の筺体部を構成している。
【００１９】
また、図１は、第一の筺体であるカメラ本体部１に対し、第二の筺体部であるレンズ鏡筒部２が、第一の回動位置である基準形態である事を示す。
【００２０】
４は、カメラ本体部１に回転可能に支持されており、後述の吸着部を覆って保護する蓋部材であるカバー部である。
【００２１】
５は、撮像装置の電源部であるメインＳＷ、６はシャッタボタン、７はズームレバーである。
【００２２】
８はカメラ本体部１とレンズ本体部３を回転可能に支持する回転軸である回動部、９はレンズ鏡筒部２をレンズ本体部３に対して回転可能に支持する回動部、１０はカメラ本体部１からカバー部４を開閉可能とするヒンジ部である。
【００２３】
１１は画像を表示する表示部で、タッチ操作が可能なタッチパネルを備えてある。よって、表示部１１は、本発明の表示手段に相当する。
【００２４】
なお、回動部８によって、レンズ鏡筒部２およびレンズ本体部３は、カメラ本体部１に対してＴ（第１の回転軸）を回転中心軸として図中矢印方向に１８０°の回転（図１の状態が回転角度０°）が可能となっている。
【００２５】
また、図１に示すように、回動部８の位置は表示部１１の面と水平な面方向において画面中心からオフセットされた位置にあり、カメラ本体部１の厚さ方向において、その厚さ方向の中心位置よりもオフセットされた位置にある。
【００２６】
詳しくは、回動部８の回転中心軸線から撮影レンズ部２ａの中心線までの距離をＬＰ１、回動部８の回転中心軸線からカバー部４の下端部までの距離をＬＰ２、回動部８の回転中心軸線からレンズ本体部３の最外形部までの距離をＬＰ３、回動部８の回転中心軸線からカバー部４を１８０°回転させた時の最外形部までの距離をＬＰ４とした時、
ＬＰ１＞ＬＰ２かつ、ＬＰ３＜ＬＰ４としている。
【００２７】
レンズ鏡筒部２は回動部９を回転軸Ｐとし、レンズ本体部３に対して図中矢印方向に±１８０°回転する。ヒンジ部１０によって、カバー部４は、カメラ本体部１に対してＨ（第２の回転軸）を回転中心軸として図中矢印方向に最大で１８０°回転する。
【００２８】
図２にカバー部４を開いた状態を示す。吸着部１２は本体部１側に吸着部１２ａ、１２ｂ、カバー部４の側に吸着部１２ｃがそれぞれ取付けられており、その位置はカバー部４が閉じ切った時、吸着部１２ａ、１２ｂと吸着部１２ｃが干渉しない位置に上下にずらして配置されている。１ａはカバー部４が閉じた際、吸着部１２ｃのニゲ部として設けた本体１の凹部である。なお、吸着部１２は、本発明の吸着部に相当する。
【００２９】
なお吸着部１２は矩形状をしており、後述の図４に示すように、重力方向と直交する方向が長手方向となるようにカメラ本体部１及びカバー部４に配設されている。
【００３０】
また、カメラ本体部１には、カバー検知ＳＷ１３２が設けられており、カバー部４の開いた事が検知可能になっている。つまり、図２に示したように、カバー部４がカメラ本体部１に対して開いた状態になると、カバー検知ＳＷ１３２がＯＮにある構成となっている。
【００３１】
ここでは、吸着部１２はシリコンなどを原料とし、所定の厚みのある粘着性を有するゲル状部材を用いている。また、カバー部４を閉じることで、吸着部１２を使用しない場合のゲル状部材への不要なゴミ等の付着を最少とする事が出来るばかりではなく、太陽光に含まれるＵＶ成分による劣化を防ぐ事が出来る。
【００３２】
次に、図３を用いて本発明の撮像装置の撮像に関係するシステム構成について説明する。
【００３３】
この撮像装置システムは、撮像素子１２２を備えたカメラ本体部１２０（カメラ本体部１に相当）と、カメラ本体部１２０に組み込まれているレンズ部１１０（レンズ鏡筒部２とレンズ本体部３に相当）を有している。レンズ部１１０内のレンズＣＰＵ１０１と、カメラ本体部１２０内のカメラＣＰＵ（制御手段）１２１が接続されており、相互に信号のやり取りを行っている。レンズＣＰＵ１０１は、レンズ部１１０内の動作を、またカメラＣＰＵ１２１はカメラ本体部１２０の動作を制御している。
【００３４】
Ｌ１〜Ｌ４はレンズユニットである。具体的には、レンズユニットＬ１、Ｌ４は固定のレンズユニット、レンズユニットＬ２は変倍用のレンズユニット、レンズユニットＬ３はフォーカスレンズユニットである。
【００３５】
レンズユニットＬ２は、レンズＣＰＵ１０１の制御信号を受けたズーム駆動回路１１１からの出力を受ける事で、光軸Ｘ方向に移動可能である。これにより、撮影光学系の焦点距離を変化させる事が出来る。フォーカスレンズユニットＬ３は、光軸Ｘ方向に移動する事で、撮影光学系の焦点調節を行う事が可能である。
【００３６】
１０４は光量調節装置である。複数の絞り羽根を光軸Ｘと略直交する面内で移動させる事で、光が通過する口径を変化させる。レンズＣＰＵ１０１からの制御信号を受けた絞り駆動回路１０８は、光量調節装置１０４を駆動する。レンズユニットＬ１〜Ｌ４および光量調節装置１０４によって撮影光学系Ｌが構成される。
【００３７】
被写体１５０の光束は、レンズ部１１０内の撮影光学系Ｌを通過し、カメラ本体部１２０内の撮像素子１２２に入射する。
【００３８】
１０２は操作ＳＷであり、マニュアル操作によるズーミング、フォーカシングおよび絞り値の設定や、オートフォーカス及びマニュアルフォーカスの切り換え等を行うためのＳＷである。
【００３９】
１０３は焦点調節を行うためのフォーカス駆動回路であり、レンズＣＰＵ１０１からの制御信号に基づいてフォーカスレンズユニットＬ３が駆動される。
【００４０】
フォーカス駆動モータの駆動によって回転する回転部材には、パルス発生ユニットが設けられており、パルス発生ユニットは、上記回転部材の回転に応じたパルス信号をフォーカス駆動回路１０３へ出力する。レンズＣＰＵ１０１は、パルス発生ユニットから出力されたパルス信号を検出する事で、フォーカスレンズユニットＬ３の位置検出を行う。
【００４１】
１０９は焦点距離検出回路であり、変倍用のレンズユニットＬ２の位置を検出する事で撮影光学系の焦点距離を検出する。焦点距離検出回路１０９は、レンズユニットＬ２の位置を３２分割されたグレーコードパターンを用いて検出している。
【００４２】
なお、レンズＣＰＵ１０１内のメモリには、レンズ部１１０の焦点距離情報、フォーカスレンズユニットＬ３の移動量に対する撮像素子面上のピント移動量（以下、フォーカス敏感度とする）等が、分割された焦点距離毎に格納されている。
【００４３】
レンズ部１１０内の撮影光学系Ｌを通過した被写体１５０の光束は、撮像素子１２２の撮像面（受光面）に結像する。撮像素子１２２は、ＣＣＤやＣＭＯＳ等の光電変換素子で構成されており、光学像を光電変換によって電気信号に変換する。撮像素子１２２から読み出された信号は、増幅処理およびＡ／Ｄ変換処理が施された後、デジタル映像信号としてカメラＣＰＵ１２１に出力される。
【００４４】
本発明の撮像装置のシステムでは、上記デジタル映像信号を用いて、動画像又は静止画像を形成している。
【００４５】
デジタル映像信号は、カメラＣＰＵ１２１に出力されるだけではなく、オートフォーカス（以下、ＡＦと称す）処理回路１２９に対しても出力される。ＡＦ処理回路１２９にデジタル映像信号が入力されると、一画面分の画像データにおける高周波成分がハイパスフィルタ（ＨＰＦ）等を介して抽出され、この高周波成分に対して累積加算等の演算処理等が行なわれる。
【００４６】
これによって高域側の輪郭成分量等に対応するＡＦ評価値が算出される。そして、このＡＦ評価値がピークを示す位置までフォーカスレンズユニットＬ３を移動させる事で、いわゆるコントラスト検出方式による焦点検出を行う事が出来る。ＡＦ処理回路１２９で算出されたＡＦ評価値は、カメラＣＰＵ１２１に出力される。
【００４７】
本撮像装置システムにおける焦点調節動作は、コントラスト検出方式と、レンズＣＰＵ１０１内に格納されているフォーカス敏感度の情報とに基づいてフォーカスレンズユニットＬ３を光軸方向に移動させる事によって行われる。なお、コントラスト検出方式による焦点調節は公知の技術であるため、詳細な説明は省略する。
【００４８】
１２４は、２段ＳＷで構成されたレリーズＳＷ（図１の撮像装置の外観図のシャッタボタン６に相当）であり、測光、焦点検出および合焦動作といった撮影準備動作を開始させるためのＳＷ（ＳＷ１）と、撮像素子１２２への露光を開始させるためのＳＷ（ＳＷ２）とを有している。レリーズＳＷ１２４の出力信号はカメラＣＰＵ１２１に入力され、カメラＣＰＵ１２１は入力信号に応じた動作を行う。
【００４９】
なお、カメラＣＰＵ１２１は、表示ユニット１２５（図１の撮像装置の外観図の表示部１１に相当）の駆動制御、撮影モードや各種設定等を行うために表示ユニット１２５へのタッチ操作により設定を行う設定ＳＷ１２６からの入力に対応した制御動作、撮像装置の姿勢を検出する姿勢検出回路１２７からの出力に対応した表示ユニット１２５の表示制御、電源１２８における残り容量のチェックや電力の分担等といった、あらゆる制御を行っている。よって、カメラＣＰＵ１２１は、本発明の制御手段に相当する。
【００５０】
また、姿勢検出回路１２７は、撮像装置の姿勢を検出する事が出来るので、それに伴い、重力方向も検出する事が出来る。よって、姿勢検出回路１２７は、本発明の重力方向検知手段に相当する。
【００５１】
なお、表示ユニット１２５には、例えば、撮像素子１２２を用いて撮影された動画像や静止画像が、また後述するように、シャッタ秒時や焦点距離などの撮影条件を決定するためのアイコンが表示される。さらには、前述のように、タッチパネル機能を備えている。
【００５２】
１２３は、カメラ本体部１２０に対して着脱可能な記録媒体に映像信号を記録させるための記録回路である。また、本実施例において、各種バッファメモリ等は、カメラＣＰＵ１２１内に含まれている。
【００５３】
１３２は、カバー検知ＳＷで、具体的には公知のプッシュＳＷであり、カバー部４が閉じられるとＯＦＦとなる設定になっている。
【００５４】
１３３は、吸着検知ＳＷで、具体的には公知のプッシュＳＷであり、カメラ本体部１が壁に吸着するとＯＦＦとなる設定になっている。よって、吸着検知ＳＷ１３３は、本発明の吸着検知手段に相当する。
【００５５】
以上説明したように、主としてカメラ本体１の内部に備わるシステム構成により、本発明の実施例の撮像装置はカメラとして機能する。
【００５６】
従って、本発明の実施例による撮像装置は、通常はフルフラットな形状なので携帯時に便利であり、撮影時は吸着手段により様々な壁面へ貼付ける事が可能となって三脚等を携行する必要が無くなっている。また、その可動部が移動する事により、壁面に吸着した状態での撮影においても、被写体１５０の光束がケラレる事なく撮影が可能となっている。
次に、図４を用いて、本発明の撮像装置の使用例を説明する。
【００５７】
図４は、通常は三脚を必要とする撮影シーンにおいて、本発明の撮像装置を直接平面の壁面へ設置し、セルフタイマーやリモコンなどにより撮影を行うシーンを示している。
【００５８】
具体的には、壁面から手前の被写体１５０を撮影するシーンであり、撮像装置はレンズ鏡筒部２を１８０°回転してから、壁面に直接設置した状態である。
【００５９】
図４の場合も、回動部８の位置は表示部１１の面と水平な面方向において画面中心からオフセットされた位置にあり、カメラ本体部１の厚さ方向において、その厚さ方向の中心位置よりもオフセットされた位置にある。従って、
ＬＰ３＜ＬＰ４
により、レンズ本体部３を回転させる際、カバー部４は、レンズ鏡筒部２またはレンズ本体部３に機械的に干渉することなく、１８０°回転させる事が出来ている。
【００６０】
また、
ＬＰ１＞ＬＰ２
により、レンズ本体部３を１８０°回転させるとレンズ鏡筒部２とレンズ本体部３は、図４に示すように、カバー部４よりも外側の上方へ突出するようになる。すなわち、撮影レンズ部２ａは、その撮影範囲がカバー部４に遮蔽されないような位置まで移動しているので、設置場所や被写体１５０の位置の条件などに合わせて自由にレンズ鏡筒部２をパンニングさせても撮影画角がカバー部４などにケラレる事がない。
【００６１】
図５は、表示ユニット１２５に被写体１５０や撮影条件が表示されている時の説明図である。
【００６２】
表示ユニット１２５には、撮影レンズ部２ａで撮影している被写体像２１０が表示されていると共に、焦点距離を設定するアイコン２２０やシャッタ秒時を設定するアイコン２３０、アイコン２２０もしくはアイコン２３０で設定した撮影条件を決定するためのアイコン２４０、さらには、電源１２８の残量やＩＳＯ感度等の撮影条件のアイコン２５０が表示されている。
【００６３】
ここで、アイコン２２０及びアイコン２３０は、図５の表示状態説明図において矢印Ａ及びＢに示すように、操作アイコン２２１及び２３１を上下に操作する事によって撮影条件を変更するもので、ユーザーが直接操作するものである。よって、操作アイコン２２１及び２３１は、本発明のスライドスイッチ画像に相当する。
【００６４】
またアイコン２４０は、図５において、操作アイコン２４１を押し込む方向に操作する事によって、操作アイコン２２１もしくは操作アイコン２３１の操作によって変更した撮影条件を決定するもので、ユーザーが直接操作するものである。
【００６５】
さらに、アイコン２５０は、操作アイコン２２１，２３１，２４１の操作によって決定された撮影条件等を表示するものであって、ユーザーが直接操作出来るアイコンではない。
【００６６】
よって、操作アイコン２２１，２３１，２４１が、本発明の操作アイコンに相当する。
【００６７】
なお、図５の表示状態説明図には撮影条件を決定するためのアイコンとしてアイコン２２０とアイコン２３０の２種が表示ユニット１２５に表示されているが、これに限定せず、３種以上のアイコンが表示されていても良い。さらには、アイコンで設定出来る撮影条件も絞り値やＩＳＯ感度等、他の撮影条件を決定するためのものであっても良い。
【００６８】
図６は本発明のカメラ本体部１の表示ユニット１２５に表示されているアイコンを操作する時の動作を説明するためのフローチャートである。これを用いて、以下、カメラ本体部１の動作について説明する。
【００６９】
ステップ（以下、Ｓとする）１０１０では、カメラ本体部１のカバー部４が開いているかどうかの判定がカメラＣＰＵ１２１によって行われる。具体的には、カバー検知ＳＷ１３２がＯＮになっているのかＯＦＦになっているのかの判定をカメラＣＰＵ１２１は行う。その結果、カバー検知ＳＷ１３２がＯＮになっている、つまり、カバー部４が開いている場合（Ｙｅｓであれば）は、Ｓ１０２０に進む。
【００７０】
また、カバー検知ＳＷ１３２がＯＦＦになっている、つまり、カバー部４が開いていない場合（Ｎｏの場合）は、カメラ本体部１をユーザーが保持しながら表示ユニット１２５に表示されているアイコンを操作する事になるので、Ｓ１４００に進む。なお、Ｓ１４００のカメラ本体部１の動作フローは、本発明の主旨とは異なるので、その詳細は省略する。
【００７１】
Ｓ１０２０では、吸着検知ＳＷ１３３によってカメラ本体部１が壁面に吸着しているかどうかをカメラＣＰＵ１２１が判断を行う。具体的には、カメラ本体部１が壁面に吸着していると、吸着検知ＳＷ１３３はＯＦＦとなるので、これにより、カメラ本体部１が壁面に吸着された事を検出する事が出来る。カメラ本体部１が壁面に吸着されている事が検出された場合（Ｙｅｓであれば）は、Ｓ１０３０に進む。
【００７２】
また、カメラ本体部１が壁面に吸着されていない場合（Ｎｏの場合）は、カバー部４が開いた状態で、カメラ本体部１をユーザーが保持しながら表示ユニット１２５に表示されているアイコンを操作する事になるので、Ｓ１４００に進む。なお、Ｓ１４００のカメラ本体部１の動作フローは、本発明の主旨とは異なるので、その詳細は省略する。
【００７３】
Ｓ１０３０では、姿勢検出回路１２７によって、カメラ本体部１の姿勢を検出する。これにより、重力方向と操作アイコン２２１，２３１の操作方向との関係をカメラＣＰＵ１２１が求める事が出来る。
【００７４】
Ｓ１０４０では、Ｓ１０３０で求めた重力方向と操作アイコン２２１，２３１の操作方向が一致しているかどうかの判定をカメラＣＰＵ１２１が行う。その結果、操作アイコン２２１，２３１の操作方向が重力方向と一致している場合（Ｙｅｓの場合）は、Ｓ１０５０に進む。一方、操作アイコン２２１，２３１の操作方向が重力方向と一致していない場合（Ｎｏの場合）は、Ｓ１２１０に進む。
【００７５】
Ｓ１０５０では、カメラＣＰＵ１２１は、重力方向と操作方向が一致しているアイコン２２０，２３０の操作方向を変更する。これは、重力方向と操作方向が一致していると、ユーザー自身の操作力が摩擦となって、カメラ本体部１を壁面から離間する方向に作用する。これは、図２に示したように、吸着部１２の長手方向（図２中矢印Ｅ）とは略直交する方向でもあるので、ユーザー自身の操作力が摩擦となって、カメラ本体部１を介して、吸着部１２を壁面から離間する方向に作用するためである。その結果、吸着部１２の吸着状態が不安定になる可能性があるためである。
【００７６】
よって、カメラＣＰＵ１２１は、重力方向及び吸着部１２の離間方向と操作方向が一致しているアイコン２２０，２３０の操作方向を変更して、ユーザー自身の操作力で吸着部１２の吸着状態が不安定になるのを防止する。
【００７７】
具体的には、図５の表示状態説明図において上下に操作する事によって撮影条件を変更していた操作アイコン２２１を、押し込む方向に操作する操作アイコン２２２及び操作アイコン２２３に変更する。変更された後の表示状態を図７に示す。同様に、操作アイコン２３１を、押し込む方向に操作する操作アイコン２３２及び操作アイコン２３３に変更する。
【００７８】
よって、操作アイコン２２２，２２３，２３１及び２３２は、本発明の押しボタンスイッチ画像に相当する。
【００７９】
これにより、ユーザーが操作アイコン２２２，２２３，２３２，２３３のいずれかを操作しても、その操作方向が表示ユニット１２５を押し込む方向になっている。つまり、吸着部１２をカメラ本体部１が吸着している壁面に押し付ける事になるので、ユーザー自身の操作力で吸着部１２の吸着状態が不安定になる事が防止される。
【００８０】
Ｓ１０６０では、アイコン２２０及びアイコン２３０の操作方向が変更された旨の表示を表示ユニット１２５に行う。
【００８１】
Ｓ１０７０では、Ｓ１０６０から進んできた場合には、操作アイコン２２２，２２３，２３２，２３３，２４１が操作された量、具体的には、操作された回数や時間をカメラＣＰＵ１２１が検出する。また、後述のＳ１２１０から進んできた場合には、操作アイコン２２１，２３１，２４０が操作された量を同様に検出する。
【００８２】
Ｓ１０８０では、Ｓ１０７０でカメラＣＰＵ１２１が検出した操作量に応じて、各種動作を行い、アイコン２２０，２３０，２４０を操作した時の動作を終了する。
【００８３】
ところで、Ｓ１０７０で「Ｙｅｓ」だった場合には、Ｓ１０４０に進むので、以下、Ｓ１２１０の処理について説明する。
【００８４】
Ｓ１２１０では、カメラＣＰＵ１２１は、重力方向と操作方向が一致しているアイコンがないので、アイコン２２０，２３０及びアイコン２４０の操作方向を変更する事なく、Ｓ１０７０に進む。
【００８５】
これは、アイコン２２０，２３０及びアイコン２４０の操作方向が重力方向と一致していないので、ユーザー自身の操作力による摩擦が、カメラ本体部１を壁面から離間する方向に作用しない。よって、吸着部１２の吸着状態が不安定になる可能性がないためである。
【００８６】
以上に説明したように、表示ユニット１２５に表示されているアイコンの内、操作方向が重力方向もしくは吸着部１２の離間方向と一致しているアイコンは、その操作方向を重力方向もしくは吸着部１２の離間方向と一致しない方向に変更する事で、ユーザー自身の操作力が吸着部１２の吸着状態を不安定にさせない事が出来る。また操作方向が重力方向もしくは吸着部１２の離間方向と一致していないアイコンは、操作方向を変更しない事で、ユーザーが混乱しないようにする事が出来る。
【００８７】
つまり、壁面に吸着されている状態で、ユーザー自身の操作力が吸着部の吸着状態を不安定にさせない撮像装置を提供する事が可能である。
【００８８】
なお、本実施例では、操作アイコン２２１及び２３１の操作方向を、図５の表示状態説明図に示した上下方向から図７の表示状態説明図に示した操作アイコン２２２，２２３，２３２，２３３のように押し込む方向に変更したが、これに限定しない。
【００８９】
操作アイコン２２１及び２３１の操作方向を変更する他の例を図８に示す。
【００９０】
図８に示したように、操作アイコン２２１及び２３１の操作方向を、図８における矢印Ｃ及びＤのように左右方向に変更する。これは、図２及び図４に示したように、重力方向と直交する、吸着部１２の長辺方向（図２中矢印Ｅ方向）と一致する。なお、図８において、操作アイコンを２２４及び２３４とする。操作アイコン２２４及び２３４の操作方向は、吸着部１２の長辺方向と一致しているので、操作アイコン２２４及び２３４を操作する時のユーザー自身の操作力は、吸着部１２を押し付ける方向に作用する事になる。よって、操作アイコン２２４及び２３４を操作しても、その操作方向は吸着部１２が壁面から離間する方向とは異なるので、ユーザー自身の操作力が吸着部１２の吸着状態を不安定にさせる事はない。
【００９１】
よって、操作アイコン２２４及び２３４をスライドさせる方向を重力方向もしくは吸着部１２の離間方向と一致させない方向に変更する事によって、ユーザー自身の操作力が吸着部の吸着状態を不安定にさせない撮像装置を提供する事が可能である。
【００９２】
なおこの時、カメラＣＰＵ１２１は、吸着部１２の長手方向を不図示のメモリ等に記憶しておけば、図６の動作フローのＳ１０４０において、吸着部１２の長手方向と重力方向との関係をカメラＣＰＵ１２１が判定する事が出来る。これにより、前述したように、操作アイコン２２１及び２３１の操作方向を重力と直交する長手方向に変更する事で、ユーザー自身の操作力が吸着部１２の吸着状態を不安定にさせない事が出来る。
【００９３】
ところで、本実施例では、カメラ本体部１が壁面に吸着された状態で表示ユニット１２５に表示されたアイコン２２０及びアイコン２３０を操作する時について説明したが、それに限定しない。カメラ本体部１をガラス面に吸着させ、セルフタイマーやリモコンなどにより撮影を行うシーンを図９に示す。
【００９４】
図９に示すように、カメラ本体部１をガラス面に吸着させて、ガラス越しに屋内から屋外の風景等を撮影する時においても、同様な効果が得られる。
【００９５】
なお、本実施例では、撮像装置を例に用いて説明してきたが、それに限定しない。例えばカメラ付携帯電話等においても、筐体に吸着部１２を設け、壁面やガラス面に吸着させて室内や室外の被写体を撮影する時にも、同様な効果が得られる事は言うまでもない。
【００９６】
つまり、本発明により、窓ガラスや壁面に吸着されている状態で、ユーザー自身の操作力が吸着部の吸着状態を不安定にさせない携帯機器を提供する事が可能であると言える。
【符号の説明】
【００９７】
１  カメラ本体部、４  カバー部、１２  吸着部、１２１  カメラＣＰＵ、
１３２  カバー検知ＳＷ、１３３  吸着検知ＳＷ、
２２１，２２２，２２３，２３４，２３１，２３２，２３３，２３４  操作アイコン
【図１】
2019009578.tif 000003
【図２】
2019009578.tif 000004
【図３】
2019009578.tif 000005
【図４】
2019009578.tif 000006
【図５】
2019009578.tif 000007
【図６】
2019009578.tif 000008
【図７】
2019009578.tif 000009
【図８】
2019009578.tif 000010
【図９】
2019009578.tif 000011